(57)【要約】  本願は同期信号を伝送するための方法及び装置を提供し、該方法は、端末装置がネットワーク機器から送信された時間領域位置指示情報を受信し、前記時間領域位置指示情報はプリセット位置に対するＭ個のＳＳブロックのうちの各ＳＳブロックの時間領域リソースの位置のオフセット量を示すことに用いられ、Ｍが１以上の正の整数であることと、端末装置が前記時間領域位置指示情報に基づいて各第１ＳＳブロックの時間領域リソースを決定することと、を含む。本願の同期信号を伝送するための方法によって、端末装置は同期信号を検出するための時間領域リソースを正確に把握することができる。
2020515134.tif 000002
【特許請求の範囲】
【請求項１】
同期信号を伝送するための方法であって、
ネットワーク機器は時間領域位置指示情報を生成し、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数であることと、
前記ネットワーク機器は端末装置へ前記時間領域位置指示情報を送信することと、を含むことを特徴とする同期信号を伝送するための方法。
【請求項２】
前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられることを特徴とする請求項１に記載の方法。
【請求項３】
前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられることを特徴とする請求項１に記載の方法。
【請求項４】
前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられることを特徴とする請求項１に記載の方法。
【請求項５】
前記時間間隔情報は隣接する２つの第１ＳＳブロックの時間領域リソースの位置の間の最小時間間隔を示すことに用いられることを特徴とする請求項４に記載の方法。
【請求項６】
Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１であることを特徴とする請求項４に記載の方法。
【請求項７】
前記Ｍ個の第１ＳＳブロックは第１セルに対応し、前記方法は、更に、
前記ネットワーク機器が各第１ＳＳブロックの時間領域リソースの位置を決定し、少なくとも１つの第１ＳＳブロックの時間領域リソースの位置とＮ個の第２ＳＳブロックのうちのいずれか１つの第２ＳＳブロックの時間領域リソースの位置とが重なり合い部分を有せず又は不完全に重なり合い、前記Ｎ個の第２ＳＳブロックが第２セルに対応し、前記第２セルが前記第１セルの隣接セルであり、Ｎが１以上の正の整数であることを含むことを特徴とする請求項１〜６のいずれか１項に記載の方法。
【請求項８】
各第１ＳＳブロックの時間領域リソースの位置と前記Ｎ個の第２ＳＳブロックのうちの各第２ＳＳブロックの時間領域リソースの位置とがいずれも重なり合い部分を有しないことを特徴とする請求項７に記載の方法。
【請求項９】
前記方法は、更に、
前記ネットワーク機器が前記ネットワーク機器の各第２ＳＳブロックの時間領域リソースの位置を決定するための参照情報を受信することを含み、
前記ネットワーク機器が各第１ＳＳブロックの時間領域リソースの位置を決定することは、
前記ネットワーク機器が前記参照情報に基づいて各第１ＳＳブロックの時間領域リソースの位置を決定することを含むことを特徴とする請求項７又は８に記載の方法。
【請求項１０】
同期基準信号を伝送するための方法であって、
ネットワーク機器は時間領域位置指示情報を生成し、前記時間領域位置指示情報はプリセット位置に対するＭ個のＳＳブロックのうちの各ＳＳブロックの時間領域リソースの位置のオフセット量を示すことに用いられ、Ｍは１以上の正の整数であることと、
前記ネットワーク機器は端末装置へ前記時間領域位置指示情報を送信することと、を含むことを特徴とする同期基準信号を伝送するための方法。
【請求項１１】
同期信号を伝送するための方法であって、
端末装置はネットワーク機器から送信された時間領域位置指示情報を受信し、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数であることと、
前記端末装置は前記第１時間領域オフセット情報に基づいて各第１ＳＳブロックの時間領域リソースを決定することと、を含むことを特徴とする同期信号を伝送するための方法。
【請求項１２】
前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられ、
前記端末装置が前記第１周波数領域オフセット情報に基づいて各第１ＳＳブロックの時間領域リソースを決定することは、
前記端末装置が前記第１時間領域オフセット情報と前記第２時間領域オフセット情報に基づいて各第１ＳＳブロックの時間領域リソースを決定することを含むことを特徴とする請求項１１に記載の方法。
【請求項１３】
前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられ、
前記端末装置が前記第１時間領域オフセット情報に基づいて各第１ＳＳブロックの時間領域リソースを決定することは、
前記端末装置が前記第１時間領域オフセット情報、前記時間領域リソース指示情報及び前記第１数量情報に基づいて各第１ＳＳブロックの時間領域リソースを決定することを含むことを特徴とする請求項１１に記載の方法。
【請求項１４】
前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられ、
前記端末装置が前記第１時間領域オフセット情報に基づいて各第１ＳＳブロックの時間領域リソースを決定することは、
前記端末装置が前記第１時間領域オフセット情報、前記時間間隔情報及び前記第２数量情報に基づいて各第１ＳＳブロックの時間領域リソースを決定することを含むことを特徴とする請求項１１に記載の方法。
【請求項１５】
前記時間間隔情報は隣接する２つの第１ＳＳブロックの時間領域リソースの位置の間の最小時間間隔を示すことに用いられることを特徴とする請求項１４に記載の方法。
【請求項１６】
Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１であることを特徴とする請求項１４に記載の方法。
【請求項１７】
前記Ｍ個の第１ＳＳブロックは第１セルに対応し、少なくとも１つの第１ＳＳブロックの時間領域リソースの位置とＮ個の第２ＳＳブロックのうちのいずれか１つの第２ＳＳブロックの時間領域リソースの位置とは重なり合い部分を有せず又は不完全に重なり合い、前記Ｎ個の第２ＳＳブロックは第２セルに対応し、前記第２セルは前記第１セルの隣接セルであり、Ｎは１以上の正の整数であることを特徴とする請求項１１〜１６のいずれか１項に記載の方法。
【請求項１８】
各第１ＳＳブロックの時間領域リソースの位置と前記Ｎ個の第２ＳＳブロックのうちの各第２ＳＳブロックの時間領域リソースの位置とはいずれも重なり合い部分を有しないことを特徴とする請求項１７に記載の方法。
【請求項１９】
同期基準信号を伝送するための方法であって、
端末装置はネットワーク機器から送信された時間領域位置指示情報を受信し、前記時間領域位置指示情報はプリセット位置に対するＭ個のＳＳブロックのうちの各ＳＳブロックの時間領域リソースの位置のオフセット量を示すことに用いられ、Ｍは１以上の正の整数であることと、
前記端末装置は前記時間領域位置指示情報に基づいて各ＳＳブロックの時間領域リソースを決定することと、を含むことを特徴とする同期基準信号を伝送するための方法。
【請求項２０】
ネットワーク機器であって、
時間領域位置指示情報を生成することに用いられ、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数である処理モジュールと、
端末装置へ前記時間領域位置指示情報を送信するための送受信モジュールと、を備えることを特徴とするネットワーク機器。
【請求項２１】
前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられることを特徴とする請求項２０に記載のネットワーク機器。
【請求項２２】
前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられることを特徴とする請求項２０に記載のネットワーク機器。
【請求項２３】
前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられることを特徴とする請求項２０に記載のネットワーク機器。
【請求項２４】
前記時間間隔情報は隣接する２つの第１ＳＳブロックの時間領域リソースの位置の間の最小時間間隔を示すことに用いられることを特徴とする請求項２３に記載のネットワーク機器。
【請求項２５】
Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１であることを特徴とする請求項２３に記載のネットワーク機器。
【請求項２６】
前記Ｍ個の第１ＳＳブロックは第１セルに対応し、前記処理モジュールは、更に、
前記各第１ＳＳブロックの時間領域リソースの位置を決定し、少なくとも１つの第１ＳＳブロックの時間領域リソースの位置とＮ個の第２ＳＳブロックのうちのいずれか１つの第２ＳＳブロックの時間領域リソースの位置とが重なり合い部分を有せず又は不完全に重なり合い、前記Ｎ個の第２ＳＳブロックが第２セルに対応し、前記第２セルが前記第１セルの隣接セルであり、Ｎが１以上の正の整数であることに用いられることを特徴とする請求項２０〜２５のいずれか１項に記載のネットワーク機器。
【請求項２７】
各第１ＳＳブロックの時間領域リソースの位置と前記Ｎ個の第２ＳＳブロックのうちの各第２ＳＳブロックの時間領域リソースの位置とがいずれも重なり合い部分を有しないことを特徴とする請求項２６に記載のネットワーク機器。
【請求項２８】
前記送受信モジュールは、更に、
前記ネットワーク機器が各第２ＳＳブロックの時間領域リソースの位置を決定するための参照情報を受信することに用いられ、
前記処理モジュールは、具体的に、
前記参照情報に基づいて前記各第１ＳＳブロックの時間領域リソースの位置を決定することに用いられることを特徴とする請求項２６又は２７に記載のネットワーク機器。
【請求項２９】
ネットワーク機器であって、
プリセット位置に対するＭ個のＳＳブロックのうちの各ＳＳブロックの時間領域リソースの位置のオフセット量を示すための時間領域位置指示情報を生成することに用いられ、Ｍは１以上の正の整数である処理モジュールと、
端末装置へ前記時間領域位置指示情報を送信するための送受信モジュールと、を備えることを特徴とするネットワーク機器。
【請求項３０】
端末装置であって、
ネットワーク機器から送信された時間領域位置指示情報を受信することに用いられ、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数である送受信モジュールと、
前記第１時間領域オフセット情報に基づいて各第１ＳＳブロックの時間領域リソースを決定するための処理モジュールと、を備えることを特徴とする端末装置。
【請求項３１】
前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられ、
前記処理モジュールは、具体的に、
前記第１時間領域オフセット情報と前記第２時間領域オフセット情報に基づいて各第１ＳＳブロックの時間領域リソースを決定することに用いられることを特徴とする請求項３０に記載の端末装置。
【請求項３２】
前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられ、
前記処理モジュールは、具体的に、
前記第１時間領域オフセット情報、前記時間領域リソース指示情報及び前記第１数量情報に基づいて各第１ＳＳブロックの時間領域リソースを決定することに用いられることを特徴とする請求項３０に記載の端末装置。
【請求項３３】
前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられ、
前記処理モジュールは、具体的に、
前記第１時間領域オフセット情報、前記時間間隔情報及び前記第２数量情報に基づいて各第１ＳＳブロックの時間領域リソースを決定することに用いられることを特徴とする請求項３０に記載の端末装置。
【請求項３４】
前記時間間隔情報は隣接する２つの第１ＳＳブロックの時間領域リソースの位置の間の最小時間間隔を示すことに用いられることを特徴とする請求項３３に記載の端末装置。
【請求項３５】
Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１であることを特徴とする請求項３３に記載の端末装置。
【請求項３６】
前記Ｍ個の第１ＳＳブロックは第１セルに対応し、少なくとも１つの第１ＳＳブロックの時間領域リソースの位置とＮ個の第２ＳＳブロックのうちのいずれか１つの第２ＳＳブロックの時間領域リソースの位置とは重なり合い部分を有せず又は不完全に重なり合い、前記Ｎ個の第２ＳＳブロックは第２セルに対応し、前記第２セルは前記第１セルの隣接セルであり、Ｎは１以上の正の整数であることを特徴とする請求項３０〜３５のいずれか１項に記載の端末装置。
【請求項３７】
各第１ＳＳブロックの時間領域リソースの位置と前記Ｎ個の第２ＳＳブロックのうちの各第２ＳＳブロックの時間領域リソースの位置とはいずれも重なり合い部分を有しないことを特徴とする請求項３６に記載の端末装置。
【請求項３８】
端末装置であって、
ネットワーク機器から送信された、プリセット位置に対するＭ個のＳＳブロックのうちの各ＳＳブロックの時間領域リソースの位置のオフセット量を示すための時間領域位置指示情報を受信し、Ｍは１以上の正の整数である送受信モジュールと、
前記時間領域位置指示情報に基づいて各ＳＳブロックの時間領域リソースを決定するための処理モジュールと、を備えることを特徴とする端末装置。
【発明の詳細な説明】
【技術分野】
【０００１】
本願の実施例は通信分野に関し、より具体的に、同期信号を伝送するための方法及び装置に関する。
【背景技術】
【０００２】
将来の通信システム（例えば、５Ｇ、５ｔｈ  Ｇｅｎｅｒａｔｉｏｎ）は異なるビーム（Ｂｅａｍ）によってセル全体をカバレッジし、すなわち各Ｂｅａｍによってより狭い範囲をカバレッジし、時間的走査（Ｓｗｅｅｐｉｎｇ）によって複数のＢｅａｍによるセル全体のカバレッジ効果を実現する。異なるＢｅａｍにおいて異なる同期信号（ＳＳ、Ｓｙｎｃｈｒｏｎｉｚａｔｉｏｎ  Ｓｉｇｎａｌ）ブロック（Ｂｌｏｃｋ）を伝送し、ユーザー装置（ＵＥ、Ｕｓｅｒ  Ｅｑｕｉｐｍｅｎｔ）は異なるＳＳ  Ｂｌｏｃｋによって異なるＢｅａｍを識別することができる。且つ、１つのセル内において、ＵＥの検出すべきＳＳ  Ｂｌｏｃｋに対応する時間領域リソース位置は複数ある。
【０００３】
従って、端末装置が同期信号を検出するための時間領域リソースを正確に把握することのできる同期信号を伝送するための方法を提供する必要がある。
【発明の概要】
【発明が解決しようとする課題】
【０００４】
本願は端末装置が同期信号を検出するための時間領域リソースを正確に把握することのできる同期信号を伝送するための方法及び装置を提供する。
【課題を解決するための手段】
【０００５】
第１態様には同期信号を伝送するための方法を提供し、ネットワーク機器は時間領域位置指示情報を生成し、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数であることと、前記ネットワーク機器は端末装置へ前記時間領域位置指示情報を送信することと、を含む。
【０００６】
本願の同期信号を伝送するための方法によれば、ネットワーク機器が端末装置へ送信した時間領域位置指示情報には第１時間領域オフセット情報が含まれ、端末装置は第１時間領域オフセット情報に基づいて同期信号（ＳＳ、Ｓｙｎｃｈｒｏｎｉｚａｔｉｏｎ  Ｓｉｇｎａｌ）ブロック（Ｂｌｏｃｋ）の時間領域リソースを正確に決定することができ、且つネットワーク機器が端末装置へ時間領域位置指示情報を送信することで、ネットワーク機器は同期信号を伝送するための時間領域リソースを柔軟に設定することができる。
【０００７】
第１態様を参照して、第１態様の実現方式では、前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられる。
【０００８】
第１態様及びその上記実現方式を参照して、第１態様の他の実現方式では、前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられる。
【０００９】
第１態様及びその上記実現方式を参照して、第１態様の他の実現方式では、前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられる。
【００１０】
第１態様及びその上記実現方式を参照して、第１態様の他の実現方式では、前記時間間隔情報は隣接する２つの第１ＳＳブロックの時間領域リソースの位置の間の最小時間間隔を示すことに用いられる。
【００１１】
第１態様及びその上記実現方式を参照して、第１態様の他の実現方式では、Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１である。
【００１２】
第１態様及びその上記実現方式を参照して、第１態様の他の実現方式では、前記Ｍ個の第１ＳＳブロックは第１セルに対応し、前記方法は、更に、前記ネットワーク機器が各第１ＳＳブロックの時間領域リソースの位置を決定し、少なくとも１つの第１ＳＳブロックの時間領域リソースの位置とＮ個の第２ＳＳブロックのうちのいずれか１つの第２ＳＳブロックの時間領域リソースの位置とが重なり合い部分を有せず又は不完全に重なり合い、前記Ｎ個の第２ＳＳブロックが第２セルに対応し、前記第２セルが前記第１セルの隣接セルであり、Ｎが１以上の正の整数であることを含む。
【００１３】
従って、同期信号同士の干渉を低減し、端末装置の同期信号に対する検出性能を向上させることができる。
【００１４】
第１態様及びその上記実現方式を参照して、第１態様の他の実現方式では、各第１ＳＳブロックの時間領域リソースの位置と前記Ｎ個の第２ＳＳブロックのうちの各第２ＳＳブロックの時間領域リソースの位置とがいずれも重なり合い部分を有しない。
【００１５】
第１態様及びその上記実現方式を参照して、第１態様の他の実現方式では、前記方法は、更に、前記ネットワーク機器が前記ネットワーク機器の各第２ＳＳブロックの時間領域リソースの位置を決定するための参照情報を受信することを含み、
前記ネットワーク機器が各第１ＳＳブロックの時間領域リソースの位置を決定することは、
前記ネットワーク機器が前記参照情報に基づいて各第１ＳＳブロックの時間領域リソースの位置を決定することを含む。
【００１６】
第２態様には同期基準信号を伝送するための方法を提供し、ネットワーク機器は時間領域位置指示情報を生成し、前記時間領域位置指示情報はプリセット位置に対するＭ個のＳＳブロックのうちの各ＳＳブロックの時間領域リソースの位置のオフセット量を示すことに用いられ、Ｍは１以上の正の整数であることと、前記ネットワーク機器は端末装置へ前記時間領域位置指示情報を送信することと、を含む。
【００１７】
本願の同期信号を伝送するための方法によれば、ネットワーク機器が時間領域位置指示情報によってプリセット位置に対する各ＳＳブロックの時間領域リソースの位置のオフセット量を示し、それにより端末装置は各ＳＳブロックの時間領域リソースの位置を正確に決定することができ、且つネットワーク機器が端末装置へ時間領域位置指示情報を送信することで、ネットワーク機器は同期信号を伝送するための時間領域リソースを柔軟に設定することができる。
【００１８】
第３態様には同期信号を伝送するための方法を提供し、端末装置はネットワーク機器から送信された時間領域位置指示情報を受信し、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数であることと、前記端末装置は前記第１時間領域オフセット情報に基づいて各第１ＳＳブロックの時間領域リソースを決定することと、を含む。
【００１９】
本願の同期信号を伝送するための方法によれば、端末装置の受信したネットワーク機器から送信された時間領域位置指示情報には第１時間領域オフセット情報が含まれ、端末装置は第１時間領域オフセット情報に基づいて同期信号ブロックの時間領域リソースを正確に決定することができ、且つネットワーク機器が端末装置へ時間領域位置指示情報を送信することで、ネットワーク機器は同期信号を伝送するための時間領域リソースを柔軟に設定することができる。
【００２０】
第３態様を参照して、第３態様の実現方式では、前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられ、
前記端末装置が前記第１周波数領域オフセット情報に基づいて各第１ＳＳブロックの時間領域リソースを決定することは、前記端末装置が前記第１時間領域オフセット情報と前記第２時間領域オフセット情報に基づいて各第１ＳＳブロックの時間領域リソースを決定することを含む。
【００２１】
第３態様及びその上記実現方式を参照して、第３態様の他の実現方式では、前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられ、
前記端末装置が前記第１時間領域オフセット情報に基づいて各第１ＳＳブロックの時間領域リソースを決定することは、前記端末装置が前記第１時間領域オフセット情報、前記時間領域リソース指示情報及び前記第１数量情報に基づいて各第１ＳＳブロックの時間領域リソースを決定することを含む。
【００２２】
第３態様及びその上記実現方式を参照して、第３態様の他の実現方式では、前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられ、
前記端末装置が前記第１時間領域オフセット情報に基づいて各第１ＳＳブロックの時間領域リソースを決定することは、前記端末装置が前記第１時間領域オフセット情報、前記時間間隔情報及び前記第２数量情報に基づいて各第１ＳＳブロックの時間領域リソースを決定することを含む。
【００２３】
第３態様及びその上記実現方式を参照して、第３態様の他の実現方式では、前記時間間隔情報は隣接する２つの第１ＳＳブロックの時間領域リソースの位置の間の最小時間間隔を示すことに用いられる。
【００２４】
第３態様及びその上記実現方式を参照して、第３態様の他の実現方式では、Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１である。
【００２５】
第３態様及びその上記実現方式を参照して、第３態様の他の実現方式では、前記Ｍ個の第１ＳＳブロックは第１セルに対応し、少なくとも１つの第１ＳＳブロックの時間領域リソースの位置とＮ個の第２ＳＳブロックのうちのいずれか１つの第２ＳＳブロックの時間領域リソースの位置とは重なり合い部分を有せず又は不完全に重なり合い、前記Ｎ個の第２ＳＳブロックは第２セルに対応し、前記第２セルは前記第１セルの隣接セルであり、Ｎは１以上の正の整数である。
【００２６】
第３態様及びその上記実現方式を参照して、第３態様の他の実現方式では、各第１ＳＳブロックの時間領域リソースの位置と前記Ｎ個の第２ＳＳブロックのうちの各第２ＳＳブロックの時間領域リソースの位置とはいずれも重なり合い部分を有しない。
【００２７】
第４態様には同期基準信号を伝送するための方法を提供し、端末装置はネットワーク機器から送信された時間領域位置指示情報を受信し、前記時間領域位置指示情報はプリセット位置に対するＭ個のＳＳブロックのうちの各ＳＳブロックの時間領域リソースの位置のオフセット量を示すことに用いられ、Ｍは１以上の正の整数であることと、前記端末装置は前記時間領域位置指示情報に基づいて各ＳＳブロックの時間領域リソースを決定することと、を含む。
【００２８】
本願の同期信号を伝送するための方法によれば、端末装置はネットワーク機器から送信された時間領域位置指示情報を受信し、該時間領域位置指示情報はプリセット位置に対する各ＳＳブロックの時間領域リソースの位置のオフセット量を示すことに用いられ、端末装置は時間領域位置指示情報に基づいて各ＳＳブロックの時間領域リソースの位置を正確に決定することができ、且つネットワーク機器が端末装置へ時間領域位置指示情報を送信することで、ネットワーク機器は同期信号を伝送するための時間領域リソースを柔軟に設定することができる。
【００２９】
第５態様にはネットワーク機器を提供し、上記第１態様又は第１態様の任意可能な実現方式における方法を実行することに用いられる。具体的に、前記ネットワーク機器は上記第１態様又は第１態様の任意可能な実現方式における方法を実行するための機能モジュールを備える。
【００３０】
第６態様にはネットワーク機器を提供し、上記第２態様の方法を実行することに用いられる。具体的に、前記ネットワーク機器は上記第２態様における方法を実行するための機能モジュールを備える。
【００３１】
第７態様には端末装置を提供し、上記第３態様又は第３態様の任意可能な実現方式における方法を実行することに用いられる。具体的に、前記端末装置は上記第３態様又は第３態様の任意可能な実現方式における方法を実行するための機能モジュールを備える。
【００３２】
第８態様には端末装置を提供し、上記第４態様の方法を実行することに用いられる。具体的に、前記端末装置は上記第４態様における方法を実行するための機能モジュールを備える。
【００３３】
第９態様にはネットワーク機器を提供し、プロセッサ、メモリ及び送受信機を備える。前記プロセッサ、前記メモリ及び前記送受信機が内部接続チャネルを介して互いに通信し、制御及び／又はデータ信号を伝達することにより、前記ネットワーク機器は上記第１態様又は第１態様の任意可能な実現方式における方法を実行する。
【００３４】
第１０態様にはネットワーク機器を提供し、プロセッサ、メモリ及び送受信機を備える。前記プロセッサ、前記メモリ及び前記送受信機が内部接続チャネルを介して互いに通信し、制御及び／又はデータ信号を伝達することにより、前記ネットワーク機器は上記第２態様における方法を実行する。
【００３５】
第１１態様には端末装置を提供し、プロセッサ、メモリ及び送受信機を備える。前記プロセッサ、前記メモリ及び前記送受信機が内部接続チャネルを介して互いに通信し、制御及び／又はデータ信号を伝達することにより、前記端末装置は上記第３態様又は第３態様の任意可能な実現方式における方法を実行する。
【００３６】
第１２態様には端末装置を提供し、プロセッサ、メモリ及び送受信機を備える。前記プロセッサ、前記メモリ及び前記送受信機が内部接続チャネルを介して互いに通信し、制御及び／又はデータ信号を伝達することにより、前記端末装置は上記第４態様における方法を実行する。
【００３７】
第１３態様にはコンピュータ可読媒体を提供し、コンピュータプログラムを記憶することに用いられ、前記コンピュータプログラムは上記第１態様又は第１態様の任意可能な実現方式を実行するための命令を含む。
【００３８】
第１４態様にはコンピュータ可読媒体を提供し、コンピュータプログラムを記憶することに用いられ、前記コンピュータプログラムは上記第２態様又は第２態様の任意可能な実現方式を実行するための命令を含む。
【００３９】
第１５態様にはコンピュータ可読媒体を提供し、コンピュータプログラムを記憶することに用いられ、前記コンピュータプログラムは上記第３態様又は第３態様の任意可能な実現方式を実行するための命令を含む。
【００４０】
第１６態様にはコンピュータ可読媒体を提供し、コンピュータプログラムを記憶することに用いられ、前記コンピュータプログラムは上記第４態様又は第４態様の任意可能な実現方式を実行するための命令を含む。
【図面の簡単な説明】
【００４１】
【図１】図１は本願の実施例に係る同期信号を伝送するための方法の模式的なフローチャートである。
【図２】図２は本願の実施例に係る同期信号を伝送するための方法の模式図である。
【図３】図３は本願の実施例に係る同期信号を伝送するための方法の他の模式図である。
【図４】図４は本願の実施例に係る同期信号を伝送するための方法のさらに他の模式図である。
【図５】図５は本願の実施例に係る同期信号を伝送するための方法のさらに他の模式図である。
【図６】図６は本願の実施例に係る同期信号を伝送するための方法のさらに他の模式図である。
【図７】図７は本願の実施例に係る同期信号を伝送するための方法のさらに他の模式図である。
【図８】図８は本願の実施例に係る同期信号を伝送するための方法のさらに他の模式図である。
【図９】図９は本願の実施例に係る同期信号を伝送するための方法のさらに他の模式図である。
【図１０】図１０は本願の実施例に係る同期信号を伝送するための方法のさらに他の模式図である。
【図１１】図１１は本願の他の実施例に係る同期信号を伝送するための方法の模式的なフローチャートである。
【図１２】図１２は本願の他の実施例に係る同期信号を伝送するための方法の模式図である。
【図１３】図１３は本願のさらに他の実施例に係る同期信号を伝送するための方法の模式的なフローチャートである。
【図１４】図１４は本願のさらに他の実施例に係る同期信号を伝送するための方法の模式的なフローチャートである。
【図１５】図１５は本願の実施例に係るネットワーク機器の模式的なブロック図である。
【図１６】図１６は本願の実施例に係る端末装置の模式的なブロック図である。
【図１７】図１７は本願の他の実施例に係るネットワーク機器の模式的なブロック図である。
【図１８】図１８は本願の他の実施例に係る端末装置の模式的なブロック図である。
【発明を実施するための形態】
【００４２】
以下、本願の実施例の図面を参照しながら本願の実施例の技術案を明確且つ完全に説明する。
【００４３】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はワールドワイド・インターオペラビリティ・フォー・マイクロウェーブ・アクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又は新無線（ＮＲ、Ｎｅｗ  Ｒａｄｉｏ）システムに適用されてもよいと理解すべきである。
【００４４】
本願の実施例において、端末装置は移動局（ＭＳ、Ｍｏｂｉｌｅ  Ｓｔａｔｉｏｎ）、携帯端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（ＵＥ、Ｕｓｅｒ  Ｅｑｕｉｐｍｅｎｔ）、ハンドセット（ｈａｎｄｓｅｔ）及び携帯機器（ｐｏｒｔａｂｌｅ  ｅｑｕｉｐｍｅｎｔ）、車両（ｖｅｈｉｃｌｅ）等を含んでもよいが、それらに限らず、該端末装置は無線アクセスネットワーク（ＲＡＮ、Ｒａｄｉｏ  Ａｃｃｅｓｓ  Ｎｅｔｗｏｒｋ）経由で１つ又は複数のコアネットワークと通信することができ、例えば、端末装置は携帯電話（「セルラー方式」の携帯電話とも称される）、無線通信機能を有するコンピュータ等であってもよく、端末装置は更に携帯式、ポケットサイズ、手持ち式、コンピュータが内蔵された又は車載のモバイルデバイスであってもよい。
【００４５】
本願の実施例において、ネットワーク機器は無線アクセスネットワークに配置された、端末装置に無線通信機能を提供するための装置である。前記ネットワーク機器は基地局であってもよく、前記基地局は様々なタイプのマクロ基地局、マイクロ基地局、中継局、アクセスポイント等を含んでもよい。異なる無線アクセス技術を用いたシステムにおいて、基地局機能を有する装置の名称が異なる可能性がある。例えば、ＬＴＥネットワークにおいて進化型ノードＢ（ｅＮＢ又はｅＮｏｄｅＢ、Ｅｖｏｌｖｅｄ  ＮｏｄｅＢ）と称され、第３世代（３Ｇ、３ｒｄ  Ｇｅｎｅｒａｔｉｏｎ）ネットワークにおいてノードＢ（Ｎｏｄｅ  Ｂ）と称される等。
【００４６】
図１には本願の実施例に係る同期信号を伝送するための方法を示す。図１に示すように、方法１００は、Ｓ１１０とＳ１２０とを含む。
Ｓ１１０、ネットワーク機器は時間領域位置指示情報を生成し、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数である。
Ｓ１２０、ネットワーク機器は端末装置へ前記時間領域位置指示情報を送信する。
【００４７】
本願の同期信号を伝送するための方法によれば、ネットワーク機器が端末装置へ送信した時間領域位置指示情報には第１時間領域オフセット情報が含まれ、端末装置は第１時間領域オフセット情報に基づいて同期信号（ＳＳ、Ｓｙｎｃｈｒｏｎｉｚａｔｉｏｎ  Ｓｉｇｎａｌ）ブロック（Ｂｌｏｃｋ）の時間領域リソースを正確に決定することができ、且つネットワーク機器が端末装置へ時間領域位置指示情報を送信することで、ネットワーク機器は同期信号を伝送するための時間領域リソースを柔軟に設定することができる。
【００４８】
本発明の実施例において、１つのＳＳ  Ｂｌｏｃｋには一次同期信号（ＰＳＳ、Ｐｒｉｍａｒｙ  Ｓｙｎｃｈｒｏｎｉｚａｔｉｏｎ  Ｓｉｇｎａｌ）、二次同期信号（ＳＳＳ、Ｓｅｃｏｎｄａｒｙ  Ｓｙｎｃｈｒｏｎｉｚａｔｉｏｎ  Ｓｉｇｎａｌ）が含まれてもよく、更に物理報知チャネル（ＰＢＣＨ、Ｐｈｙｓｉｃａｌ  Ｂｒｏａｄｃａｓｔ  Ｃｈａｎｎｅｌ）が含まれてもよく、又は、更にＳＳ  Ｂｌｏｃｋに関連する時間情報が含まれてもよい。且つ、１つのＳＳ  Ｂｌｏｃｋにおいて、ＰＳＳとＳＳＳが時間領域において分離したものであり、ＰＢＣＨ、ＰＳＳ及びＳＳＳが時間領域においても分離したものである。
【００４９】
なお、具体的な実施例の説明過程において、１つの情報指示オフセット量はこの情報の直接示すオフセット量の数値であってもよいし、この情報の直接示す１組の予定のオフセット量のうちのあるオフセット量の識別子であってもよく、端末装置はこの識別子に基づいてオフセット量の具体的な数値を決定することができる。
【００５０】
選択肢として、Ｓ１１０では、時間領域位置指示情報には第１時間領域オフセット情報が含まれるとき、端末装置は時間領域位置指示情報を受信した後、第１時間領域オフセット情報とプロトコルに規定される方式及び／又はシステムの他の構成に基づいて、各第１ＳＳ  Ｂｌｏｃｋの時間領域リソースの位置を具体的に決定する。ここで、ＳＳブロックグループの時間領域リソースの位置はこのＭ個の第１ＳＳブロックのうちの時間領域位置が最も前にある第１ＳＳブロックの時間領域リソースの開始位置であってもよく、又はＳＳブロックグループの時間領域リソースの位置はこのＭ個の第１ＳＳブロックのうちの時間領域位置が最も後にある第１ＳＳブロックの時間領域リソースの終了位置であってもよく、又はＳＳブロックグループの時間領域リソースの位置は更にＭ個の第１ＳＳブロックのうちのいずれか１つの第１ＳＳブロックの時間領域リソースの開始位置又は終了位置であってもよく、本願はこれを制限しない。
【００５１】
例えば、図２に示すように、ネットワーク機器と端末装置とはＳＳ  Ｂｌｏｃｋ＃１、ＳＳ  Ｂｌｏｃｋ＃２及びＳＳ  Ｂｌｏｃｋ＃３の時間領域リソースの位置が密着し、且つこの３つのＳＳ  ＢｌｏｃｋからなるＳＳ  Ｂｌｏｃｋグループの時間領域リソースの位置がＳＳ  Ｂｌｏｃｋ＃１の時間領域リソースの中間位置を指すと事前に約束してもよく、図２のＴ＿Ｗはこの３つのＳＳ  Ｂｌｏｃｋが全体としてプリセット位置に対するオフセット量を示し、端末装置はＴ＿Ｗと他の情報（プロトコルの規定及び／又はシステムの他の構成）に基づいて、この３つのＳＳ  Ｂｌｏｃｋのうちの各ＳＳ  Ｂｌｏｃｋの時間領域リソースを決定することができる。ここで、他の情報は例えば各ＳＳ  Ｂｌｏｃｋの時間領域リソースのサイズ、リソーススケジューリング周期（例えば、図２における１０ｍｓ）等であってもよい。
【００５２】
選択肢として、Ｓ１１０では、時間領域位置指示情報には更に第２時間領域オフセット情報が含まれ、第２時間領域オフセット情報はＳＳブロックグループの時間領域リソースの位置に対する各第１ＳＳブロックの時間領域リソースの位置のオフセット量を示すことに用いられる。
【００５３】
例えば、図３に示すように、Ｔ＿Ｗはこの３つのＳＳ  Ｂｌｏｃｋが全体としてプリセット位置に対するオフセット量を示し、Ｔ＿２がＴ＿Ｗに対するＳＳ  Ｂｌｏｃｋ＃２の時間領域リソースの位置のオフセット量を示し、Ｔ＿３がＴ＿Ｗに対するＳＳ  Ｂｌｏｃｋ＃３の時間領域リソースの位置のオフセット量を示し、端末装置はＴ＿Ｗ、Ｔ＿２及びＴ＿３に基づいてＳＳ  Ｂｌｏｃｋ＃１、ＳＳ  Ｂｌｏｃｋ＃２及びＳＳ  Ｂｌｏｃｋ＃３の時間領域リソースの位置を決定することができる。プロトコルにおいてＳＳ  Ｂｌｏｃｋのサイズを規定し又はネットワーク機器が他の構成情報によって端末装置にＳＳ  Ｂｌｏｃｋのサイズを通知した場合、端末装置はＳＳ  Ｂｌｏｃｋ＃１、ＳＳ  Ｂｌｏｃｋ＃２及びＳＳ  Ｂｌｏｃｋ＃３の時間領域リソースを更に決定することができる。
【００５４】
選択肢として、Ｓ１１０では、時間領域位置指示情報には更に時間領域リソース指示情報と第１数量情報が含まれ、時間領域リソース指示情報はターゲット時間領域リソースを示すことに用いられ、ターゲット時間領域リソースはＳＳブロックグループの時間領域リソースを含み、第１数量情報はＭの数値を示すことに用いられる。
【００５５】
なお、ターゲット時間領域リソースはＳＳブロックグループの時間領域リソースのみを含んでもよく、ターゲット時間領域リソースは更にＳＳブロックグループの時間領域リソースとＳＳブロックグループの周りの他の時間領域リソースを含んでもよく、具体的な定義はプロトコルの規定によって決定される。
【００５６】
例えば、図４に示すように、Ｔ＿Ｗ１はＳＳ  Ｂｌｏｃｋ＃１とＳＳ  Ｂｌｏｃｋ＃２が全体としてプリセット位置に対するオフセット量を示し、Ｔ＿Ｇ１がＳＳ  Ｂｌｏｃｋ＃１とＳＳ  Ｂｌｏｃｋ＃２の時間領域リソースを示す。端末装置はネットワーク機器から送信された時間領域位置指示情報を受信した後、Ｔ＿Ｗ１、Ｔ＿Ｇ１及び第１数量情報に基づいてＳＳ  Ｂｌｏｃｋ＃１及びＳＳ  Ｂｌｏｃｋ＃２の時間領域位置を決定することができる。プロトコルにおいてＳＳ  Ｂｌｏｃｋのサイズを規定し又はネットワーク機器が他の構成情報によって端末装置にＳＳ  Ｂｌｏｃｋのサイズを通知した場合、端末装置はＳＳ  Ｂｌｏｃｋ＃１及びＳＳ  Ｂｌｏｃｋ＃２の時間領域リソースを更に決定することができる。
【００５７】
選択肢として、Ｓ１１０では、時間領域位置指示情報には更に時間間隔情報と第２数量情報が含まれ、時間間隔情報は端末装置がＭ個の第１ＳＳブロックのうちの隣接する２つの第１ＳＳブロックの時間領域リソースの位置の間の時間間隔を決定することに用いられ、第２数量情報はＭの数値を示すことに用いられる。
【００５８】
具体的に、いくつかの実施例において、時間間隔情報は隣接する２つの第１ＳＳブロックの時間領域リソースの位置の間の最小時間間隔を示すことに用いられる。又は、Ｍが２以上の正の整数である場合、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１である。又は、時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１である。
【００５９】
例えば、図５に示すように、Ｔ＿Ｗ１はＳＳ  Ｂｌｏｃｋ＃１、ＳＳ  Ｂｌｏｃｋ＃２及びＳＳ  Ｂｌｏｃｋ＃３が全体としてプリセット位置に対するオフセット量を示し、隣接するＳＳ  Ｂｌｏｃｋの時間領域リソースの位置の間の時間間隔が同じであって、いずれもＴ０である場合、端末装置は時間領域位置指示情報を受信した後、Ｔ＿Ｗ１とＴ０に基づいてＳＳ  Ｂｌｏｃｋ＃１、ＳＳ  Ｂｌｏｃｋ＃２及びＳＳ  Ｂｌｏｃｋ＃３の時間領域リソースの位置を決定することができる。プロトコルにおいてＳＳ  Ｂｌｏｃｋのサイズを規定し又はネットワーク機器が他の構成情報によって端末装置にＳＳ  Ｂｌｏｃｋのサイズを通知した場合、端末装置はＳＳ  Ｂｌｏｃｋ＃１、ＳＳ  Ｂｌｏｃｋ＃２及びＳＳ  Ｂｌｏｃｋ＃３の時間領域リソースを更に決定することができる。
【００６０】
なお、端末装置は時間領域位置指示情報に基づいて各ＳＳ  Ｂｌｏｃｋの時間領域リソースの位置を決定するとき、プロトコルにおいて他の用途があり、ＳＳ  Ｂｌｏｃｋの伝送に使用できないと規定される時間領域リソースがある場合、端末装置は時間領域位置指示情報とこれらのＳＳ  Ｂｌｏｃｋの伝送に使用できない時間領域リソースに基づいて、各ＳＳ  Ｂｌｏｃｋの時間領域リソースの位置を決定する必要がある。
【００６１】
例えば、依然として図５を例として、時間間隔情報は隣接する２つのＳＳ  Ｂｌｏｃｋの時間領域リソースの位置の間の時間間隔が３つの直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであることを示し、端末装置はＳＳ  Ｂｌｏｃｋ＃２の時間領域リソースが番号＃１、＃２及び＃３のＯＦＤＭシンボル（１つのサブフレームにおけるＯＦＤＭシンボルの番号が＃０から始まる）にあり、且つ番号＃７のＯＦＤＭシンボルがＳＳ  Ｂｌｏｃｋの伝送に使用できないと決定する場合、端末装置はＳＳ  Ｂｌｏｃｋ＃３の時間領域リソースの開始位置が番号＃８のＯＦＤＭシンボルであると決定する。これにより、端末装置の最終的に決定したＳＳ  Ｂｌｏｃｋ＃３の時間領域リソースの開始位置とＳＳ  Ｂｌｏｃｋ＃２の時間領域リソースの開始位置との間の時間間隔は実際に４つのＯＦＤＭシンボルである。
【００６２】
上記すべての実施例において、選択肢として、Ｍ個の第１ＳＳブロックは第１セルに対応し、ネットワーク機器は各第１ＳＳブロックの時間領域リソースの位置を決定するとき、少なくとも１つの第１ＳＳブロックの時間領域リソースの位置とＮ個の第２ＳＳブロックのうちのいずれか１つの第２ＳＳブロックの時間領域リソースの位置とは重なり合わず又は不完全に重なり合う。ここで、Ｎ個の第２ＳＳブロックは第２セルに対応し、第２セルは第１セルの隣接セルであり、Ｎは１以上の正の整数である。
【００６３】
換言すれば、ネットワーク機器の決定した第１セルにおけるＳＳブロックを伝送するための時間領域リソースと第２セルにおけるＳＳブロックを伝送するための時間領域リソースとが不完全に重なり合い又は完全に重なり合わず、これにより、隣接する２つのセルにおける同期信号の干渉を避け、端末装置が同期信号を検出する検出性能を向上させることができる。
【００６４】
選択肢として、第１セルと第２セルのセル識別子（ＩＤ、Ｉｄｅｎｔｉｆｉｃａｔｉｏｎ）が異なる場合、ネットワーク機器は第１セルのＩＤに基づいて各第１ＳＳブロックの時間領域リソースの位置を決定することができる。
【００６５】
更に、各第１ＳＳブロックの時間領域リソースの位置とＮ個の第２ＳＳブロックのうちの各第２ＳＳブロックの時間領域リソースの位置とがいずれも重なり合い部分を有しない。つまり、第１セルと第２セルのＳＳブロックを伝送するための時間領域リソースが完全に重なり合わない。
【００６６】
例えば、図６及び図７に示すように、２つのセルには送信すべきＳＳ  Ｂｌｏｃｋがいずれも４つあると仮定する場合、２つのセルのＳＳ  Ｂｌｏｃｋが時間領域において完全にずれており、これにより、同期信号とＰＢＣＨ等の信号とがいずれもずれてもよく、端末装置の同期信号及びＰＢＣＨ信号に対する検出性能を向上させる。
【００６７】
又は、図８に示すように、１つのセルには送信すべきＳＳ  Ｂｌｏｃｋが２つあって、もう１つのセルには送信すべきＳＳ  Ｂｌｏｃｋが４つあると仮定する場合、２つのセルのＳＳ  Ｂｌｏｃｋが時間領域において完全にずれている。
【００６８】
又は、２つのセルには送信すべきＳＳ  Ｂｌｏｃｋがいずれも２つあると仮定する場合、異なるセルのＳＳ  Ｂｌｏｃｋが時間領域において完全にずれる必要がなく、信号の一部を時間領域においてずらせばよい。図９に示すように、ＰＳＳのみを時間領域においてずらして、端末装置のＰＳＳ信号に対する検出性能を向上させる。又は、図１０に示すように、ＰＳＳ及びＳＳＳを時間領域においてずらして、端末装置の同期信号に対する検出性能を向上させる。
【００６９】
なお、上記実施例において、ＰＳＳ又はＳＳＳは完全なＯＦＤＭシンボルを占有しない可能性があり、この時、ＯＦＤＭシンボルをいくつかのサブシンボル（ｓｕｂ−ｓｙｍｂｏｌ）に分割してもよく、ＰＳＳ又はＳＳＳがｓｕｂ−ｓｙｍｂｏｌの一部のみを占有する。
【００７０】
選択肢として、いくつかの具体的な実施例において、ネットワーク機器は第１セルと第２セルにおける干渉が生じる可能性のあるビーム（Ｂｅａｍ）を決定することができ、ＳＳ  Ｂｌｏｃｋの時間領域リソースの位置を決定するとき、干渉が生じる可能性のあるＢｅａｍに異なる時間領域リソースによってＳＳ  Ｂｌｏｃｋを送信させ、他の干渉が生じることのないＢｅａｍは同じ時間領域リソースにおいてＳＳ  Ｂｌｏｃｋを送信することができる。
【００７１】
本願の実施例において、選択肢として、第１セルと第２セルは同じネットワーク機器に属するセルであってもよく、第１セルと第２セルは異なるネットワーク機器に属するセルであってもよい。例えば、第１セルは第１ネットワーク機器に属し、第２セルは第２ネットワーク機器に属し、この時、第１ネットワーク機器は各第１ＳＳブロックの時間領域リソースの位置を決定するとき、参照情報を受信して、参照情報に基づいて各第１ＳＳブロックの時間領域リソースの位置を決定することができ、ここで、参照情報は各第２ＳＳブロックの時間領域リソースの位置を直接示す情報であってもよいし、各第２ＳＳブロックの時間領域リソースの位置を間接的に示す情報であってもよい。
【００７２】
且つ、第１ネットワーク機器は第２ネットワーク機器とのインターフェースを介して第２ネットワーク機器から送信された参照情報を直接受信する。又は、第１ネットワーク機器はシステムにおける他の装置から送信された該参照情報を受信し、本願の実施例はこれを制限しない。
【００７３】
図１１には本願の他の実施例に係る同期信号を伝送するための方法を示し、図１１に示すように、方法２００は、Ｓ２１０とＳ２２０とを含む。
Ｓ２１０、ネットワーク機器は時間領域位置指示情報を生成し、前記時間領域位置指示情報はプリセット位置に対するＭ個のＳＳブロックのうちの各ＳＳブロックの時間領域リソースの位置のオフセット量を示すことに用いられ、Ｍは１以上の正の整数である。
Ｓ２２０、ネットワーク機器は端末装置へ前記時間領域位置指示情報を送信する。
【００７４】
本願の実施例の同期信号を伝送するための方法によれば、ネットワーク機器が時間領域位置指示情報によってプリセット位置に対する各ＳＳブロックの時間領域リソースの位置のオフセット量を示すことにより、端末装置は各ＳＳブロックの時間領域リソースの位置を正確に決定することができ、且つネットワーク機器が端末装置へ時間領域位置指示情報を送信することで、ネットワーク機器は同期信号を伝送するための時間領域リソースを柔軟に設定することができる。
【００７５】
例えば、図１２に示すように、Ｔ１がプリセット位置に対するＳＳ  Ｂｌｏｃｋ＃１の時間領域リソースの位置のオフセット量を示し、Ｔ２がプリセット位置に対するＳＳ  Ｂｌｏｃｋ＃２の時間領域リソースの位置のオフセット量を示し、Ｔ３がプリセット位置に対するＳＳ  Ｂｌｏｃｋ＃３の時間領域リソースの位置のオフセット量を示す。端末装置は時間領域位置指示情報を受信した後、Ｔ１、Ｔ２及びＴ３に基づいてＳＳ  Ｂｌｏｃｋ＃１、ＳＳ  Ｂｌｏｃｋ＃２及びＳＳ  Ｂｌｏｃｋ＃３の時間領域リソースの位置を決定する。
【００７６】
以上は図１〜図１２を参照してネットワーク機器側から本願の実施例に係る同期信号を伝送するための方法を詳しく説明したが、以下に図１３及び図１４を参照して端末装置側から本願の実施例に係る同期信号を伝送するための方法を詳しく説明する。端末装置側から説明される端末装置とネットワーク機器とのインタラクションはネットワーク機器側の説明と同様であり、重複を避けるため、関連説明は適宜省略すると理解すべきである。
【００７７】
図１３は本願の他の実施例に係る同期信号を伝送するための方法を示す図であり、図１３に示すように、方法３００は、Ｓ３１０とＳ３２０とを含む。
Ｓ３１０、端末装置はネットワーク機器から送信された時間領域位置指示情報を受信し、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数である。
Ｓ３２０、端末装置は前記第１時間領域オフセット情報に基づいて各第１ＳＳブロックの時間領域リソースを決定する。
【００７８】
本願の同期信号を伝送するための方法によれば、端末装置の受信したネットワーク機器から送信された時間領域位置指示情報には第１時間領域オフセット情報が含まれ、端末装置は第１時間領域オフセット情報に基づいて同期信号ブロックの時間領域リソースを正確に決定することができ、且つネットワーク機器が端末装置へ時間領域位置指示情報を送信することで、ネットワーク機器は同期信号を伝送するための時間領域リソースを柔軟に設定することができる。
【００７９】
本願の実施例において、選択肢として、前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられ、
Ｓ３２０は、具体的に、前記端末装置が前記第１時間領域オフセット情報と前記第２時間領域オフセット情報に基づいて各第１ＳＳブロックの時間領域リソースを決定することである。
【００８０】
本願の実施例において、選択肢として、前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられ、
Ｓ３２０は、具体的に、前記端末装置が前記第１時間領域オフセット情報、前記時間領域リソース指示情報及び前記第１数量情報に基づいて各第１ＳＳブロックの時間領域リソースを決定することである。
【００８１】
本願の実施例において、選択肢として、前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられ、
Ｓ３２０は、具体的に、前記端末装置が前記第１時間領域オフセット情報、前記時間間隔情報及び前記第２数量情報に基づいて各第１ＳＳブロックの時間領域リソースを決定することである。
【００８２】
本願の実施例において、選択肢として、前記時間間隔情報は隣接する２つの第１ＳＳブロックの時間領域リソースの位置の間の最小時間間隔を示すことに用いられる。
【００８３】
本願の実施例において、選択肢として、Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１である。
【００８４】
本願の実施例において、選択肢として、前記Ｍ個の第１ＳＳブロックは第１セルに対応し、少なくとも１つの第１ＳＳブロックの時間領域リソースの位置とＮ個の第２ＳＳブロックのうちのいずれか１つの第２ＳＳブロックの時間領域リソースの位置とは重なり合い部分を有せず又は不完全に重なり合い、前記Ｎ個の第２ＳＳブロックは第２セルに対応し、前記第２セルは前記第１セルの隣接セルであり、Ｎは１以上の正の整数である。
【００８５】
本願の実施例において、選択肢として、各第１ＳＳブロックの時間領域リソースの位置と前記Ｎ個の第２ＳＳブロックのうちの各第２ＳＳブロックの時間領域リソースの位置とはいずれも重なり合い部分を有しない。
【００８６】
図１４は本願の別の実施例に係る同期基準信号を伝送するための方法を示す図であり、図１４に示すように、方法４００は、Ｓ４１０とＳ４２０とを含む。
Ｓ４１０、端末装置はネットワーク機器から送信された時間領域位置指示情報を受信し、前記時間領域位置指示情報はプリセット位置に対するＭ個のＳＳブロックのうちの各ＳＳブロックの時間領域リソースの位置のオフセット量を示すことに用いられ、Ｍは１以上の正の整数である。
Ｓ４２０、前記端末装置は前記時間領域位置指示情報に基づいて各ＳＳブロックの時間領域リソースを決定する。
【００８７】
本願の実施例の同期信号を伝送するための方法によれば、端末装置はネットワーク機器から送信された時間領域位置指示情報を受信し、該時間領域位置指示情報はプリセット位置に対する各ＳＳブロックの時間領域リソースの位置のオフセット量を示すことに用いられ、端末装置は時間領域位置指示情報に基づいて各ＳＳブロックの時間領域リソースの位置を正確に決定することができ、且つネットワーク機器が端末装置へ時間領域位置指示情報を送信することで、ネットワーク機器は同期信号を伝送するための時間領域リソースを柔軟に設定することができる。
【００８８】
以上は図１〜図１４を参照して本願の実施例に係る同期信号を伝送するための方法を詳しく説明したが、以下に図１５を参照して本願の実施例に係るネットワーク機器を詳しく説明し、図１５に示すように、ネットワーク機器１０は、
時間領域位置指示情報を生成することに用いられ、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数である処理モジュール１１と、
端末装置へ前記時間領域位置指示情報を送信するための送受信モジュール１２と、を備える。
【００８９】
本願の実施例に係るネットワーク機器が端末装置へ送信した時間領域位置指示情報には第１時間領域オフセット情報が含まれ、それにより端末装置は第１時間領域オフセット情報に基づいて同期信号ブロックの時間領域リソースを正確に決定することができ、且つネットワーク機器は端末装置へ時間領域位置指示情報を送信することで同期信号を伝送するための時間領域リソースを柔軟に設定することができる。
【００９０】
本願の実施例において、選択肢として、前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられる。
【００９１】
本願の実施例において、選択肢として、前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられる。
【００９２】
本願の実施例において、選択肢として、前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられる。
【００９３】
本願の実施例において、選択肢として、前記時間間隔情報は隣接する２つの第１ＳＳブロックの時間領域リソースの位置の間の最小時間間隔を示すことに用いられる。
【００９４】
本願の実施例において、選択肢として、Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１である。
【００９５】
本願の実施例において、選択肢として、前記Ｍ個の第１ＳＳブロックは第１セルに対応し、前記処理モジュール１１は、更に、前記各第１ＳＳブロックの時間領域リソースの位置を決定し、少なくとも１つの第１ＳＳブロックの時間領域リソースの位置とＮ個の第２ＳＳブロックのうちのいずれか１つの第２ＳＳブロックの時間領域リソースの位置とが重なり合い部分を有せず又は不完全に重なり合い、前記Ｎ個の第２ＳＳブロックが第２セルに対応し、前記第２セルが前記第１セルの隣接セルであり、Ｎが１以上の正の整数であることに用いられる。
【００９６】
本願の実施例において、選択肢として、各第１ＳＳブロックの時間領域リソースの位置と前記Ｎ個の第２ＳＳブロックのうちの各第２ＳＳブロックの時間領域リソースの位置とがいずれも重なり合い部分を有しない。
【００９７】
本願の実施例において、選択肢として、前記送受信モジュール１２は、更に、
前記ネットワーク機器が各第２ＳＳブロックの時間領域リソースの位置を決定するための参照情報を受信することに用いられ、
前記処理モジュール１１は、具体的に、前記参照情報に基づいて前記各第１ＳＳブロックの時間領域リソースの位置を決定することに用いられる。
【００９８】
本願の実施例に係るネットワーク機器１０は本願の実施例に対応する方法１００のプロセスを参照してもよく、且つ、該ネットワーク機器における各ユニット／モジュール及び上記他の操作及び／又は機能はそれぞれ方法１００における対応プロセスを実現するためのものであり、簡潔のため、ここで詳細な説明は省略する。
【００９９】
又は、処理モジュール１１は、プリセット位置に対するＭ個のＳＳブロックのうちの各ＳＳブロックの時間領域リソースの位置のオフセット量を示すための時間領域位置指示情報を生成することに用いられ、Ｍが１以上の正の整数であり、
送受信モジュール１２は、端末装置へ前記時間領域位置指示情報を送信することに用いられる。
【０１００】
本願の実施例に係るネットワーク機器が端末装置へ送信した時間領域位置指示情報はプリセット位置に対するＭ個のＳＳブロックのうちの各ＳＳブロックの時間領域リソースの位置のオフセット量を示すことに用いられ、それにより端末装置は時間領域位置指示情報に基づいて同期信号ブロックの時間領域リソースを正確に決定することができ、且つネットワーク機器は端末装置へ時間領域位置指示情報を送信することで同期信号を伝送するための時間領域リソースを柔軟に設定することができる。
【０１０１】
本願の実施例に係るネットワーク機器１０は本願の実施例に対応する方法２００のプロセスを参照してもよく、且つ、該ネットワーク機器における各ユニット／モジュール及び上記他の操作及び／又は機能はそれぞれ方法２００における対応プロセスを実現するためのものであり、簡潔のため、ここで詳細な説明は省略する。
【０１０２】
図１６には本願の実施例に係る端末装置を示し、図１６に示すように、端末装置２０は、
ネットワーク機器から送信された時間領域位置指示情報を受信することに用いられ、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数である送受信モジュール２１と、
前記第１時間領域オフセット情報に基づいて各第１ＳＳブロックの時間領域リソースを決定するための処理モジュール２２と、を備える。
【０１０３】
本願の実施例に係る端末装置の受信した時間領域位置指示情報には第１時間領域オフセット情報が含まれ、第１時間領域オフセット情報はプリセット位置に対する同期信号ＳＳブロックグループの時間領域リソースの位置のオフセット量を示すことに用いられる。これにより、端末装置は第１時間領域オフセット情報に基づいて同期信号ブロックの時間領域リソースを正確に決定することができる。
【０１０４】
本願の実施例において、選択肢として、前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられ、
前記処理モジュール２２は、具体的に、前記第１時間領域オフセット情報と前記第２時間領域オフセット情報に基づいて各第１ＳＳブロックの時間領域リソースを決定することに用いられる。
【０１０５】
本願の実施例において、選択肢として、前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられ、
前記処理モジュール２２は、具体的に、前記第１時間領域オフセット情報、前記時間領域リソース指示情報及び前記第１数量情報に基づいて各第１ＳＳブロックの時間領域リソースを決定することに用いられる。
【０１０６】
本願の実施例において、選択肢として、前記時間領域位置指示情報は更に時間間隔情報と第２数量情報を含み、前記時間間隔情報は前記端末装置が前記Ｍ個の第１ＳＳブロックのうちの隣接する２つの第１ＳＳブロックの時間領域リソースの位置の間の時間間隔を決定することに用いられ、前記第２数量情報はＭの数値を示すことに用いられ、
前記処理モジュール２２は、具体的に、前記第１時間領域オフセット情報、前記時間間隔情報及び前記第２数量情報に基づいて各第１ＳＳブロックの時間領域リソースを決定することに用いられる。
【０１０７】
本願の実施例において、選択肢として、前記時間間隔情報は隣接する２つの第１ＳＳブロックの時間領域リソースの位置の間の最小時間間隔を示すことに用いられる。
【０１０８】
本願の実施例において、選択肢として、Ｍは２以上の正の整数であり、前記時間間隔情報はｉ番目の第１ＳＳブロックの時間領域リソースの終了位置とｉ＋１番目の第１ＳＳブロックの時間領域リソースの開始位置との間の時間間隔を示すことに用いられ、ｉ＝１、…Ｍ−１であり、又は、
前記時間間隔情報はｉ番目の第１ＳＳブロックの時間領域リソースの開始位置とｉ＋１番目の第１ＳＳブロックの時間領域リソースの開始位置との間の時間間隔を示すことに用いられ、ｉ＝１、…Ｍ−１である。
【０１０９】
本願の実施例において、選択肢として、前記Ｍ個の第１ＳＳブロックは第１セルに対応し、少なくとも１つの第１ＳＳブロックの時間領域リソースの位置とＮ個の第２ＳＳブロックのうちのいずれか１つの第２ＳＳブロックの時間領域リソースの位置とは重なり合い部分を有せず又は不完全に重なり合い、前記Ｎ個の第２ＳＳブロックは第２セルに対応し、前記第２セルは前記第１セルの隣接セルであり、Ｎは１以上の正の整数である。
【０１１０】
本願の実施例において、選択肢として、各第１ＳＳブロックの時間領域リソースの位置と前記Ｎ個の第２ＳＳブロックのうちの各第２ＳＳブロックの時間領域リソースの位置とはいずれも重なり合い部分を有しない。
【０１１１】
本願の実施例に係る端末装置２０は本願の実施例に対応する方法３００のプロセスを参照してもよく、且つ、該端末装置における各ユニット／モジュール及び上記他の操作及び／又は機能はそれぞれ方法３００における対応プロセスを実現するためのものであり、簡潔のため、ここで詳細な説明は省略する。
【０１１２】
又は、前記送受信モジュール２１は、ネットワーク機器から送信された、プリセット位置に対するＭ個のＳＳブロックのうちの各ＳＳブロックの時間領域リソースの位置のオフセット量を示すための時間領域位置指示情報を受信することに用いられ、Ｍは１以上の正の整数であり、
前記処理モジュール２２は、前記時間領域位置指示情報に基づいて各第１ＳＳブロックの時間領域リソースを決定することに用いられる。
【０１１３】
本願の実施例に係る端末装置の受信した時間領域位置指示情報はプリセット位置に対するＭ個のＳＳブロックのうちの各ＳＳブロックの時間領域リソースの位置のオフセット量を示すことに用いられる。これにより、端末装置は時間領域位置指示情報に基づいて同期信号ブロックの時間領域リソースを正確に決定することができる。
【０１１４】
本願の実施例に係る端末装置２０は本願の実施例に対応する方法４００のプロセスを参照してもよく、且つ、該端末装置における各ユニット／モジュール及び上記他の操作及び／又は機能はそれぞれ方法４００における対応プロセスを実現するためのものであり、簡潔のため、ここで詳細な説明は省略する。
【０１１５】
図１７には本願の他の実施例に係るネットワーク機器を示す。図１７に示すように、ネットワーク機器１００はプロセッサ１１０及び送受信機１２０を備え、プロセッサ１１０及び送受信機１２０が接続され、選択肢として、該ネットワーク機器１００は更にメモリ１３０を備え、メモリ１３０がプロセッサ１１０に接続される。プロセッサ１１０、メモリ１３０及び送受信機１２０が内部接続チャネルを介して互いに通信してもよい。プロセッサ１１０は時間領域位置指示情報を生成することに用いられ、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループがＭ個の第１ＳＳブロックを含み、Ｍが１以上の正の整数であり、送受信機１２０は端末装置へ前記時間領域位置指示情報を送信することに用いられる。
【０１１６】
従って、本願の実施例に係るネットワーク機器が端末装置へ送信した時間領域位置指示情報には第１時間領域オフセット情報が含まれ、それにより端末装置は第１時間領域オフセット情報に基づいて同期信号ブロックの時間領域リソースを正確に決定することができ、且つネットワーク機器は端末装置へ時間領域位置指示情報を送信することで同期信号を伝送するための時間領域リソースを柔軟に設定することができる。
【０１１７】
又は、プロセッサ１１０は、プリセット位置に対するＭ個のＳＳブロックのうちの各ＳＳブロックの時間領域リソースの位置のオフセット量を示すための時間領域位置指示情報を生成することに用いられ、Ｍが１以上の正の整数であり、送受信機１２０は、端末装置へ前記時間領域位置指示情報を送信することに用いられる。
【０１１８】
従って、本願の実施例に係るネットワーク機器が端末装置へ送信した時間領域位置指示情報はプリセット位置に対するＭ個のＳＳブロックのうちの各ＳＳブロックの時間領域リソースの位置のオフセット量を示すことに用いられ、それにより端末装置は時間領域位置指示情報に基づいて同期信号ブロックの時間領域リソースを正確に決定することができ、且つネットワーク機器は端末装置へ時間領域位置指示情報を送信することで同期信号を伝送するための時間領域リソースを柔軟に設定することができる。
【０１１９】
本願の実施例に係るネットワーク機器１００は本願の実施例に対応するネットワーク機器１０を参照してもよく、且つ、該ネットワーク機器における各ユニット／モジュール及び上記他の操作及び／又は機能はそれぞれ方法１００又は２００における対応プロセスを実現するためのものであり、簡潔のため、ここで詳細な説明は省略する。
【０１２０】
図１８には本願の他の実施例に係る端末装置の模式的なブロック図を示し、図１８に示すように、端末装置２００はプロセッサ２１０及び送受信機２２０を備え、プロセッサ２１０及び送受信機２２０が接続され、選択肢として、前記端末装置２００は更にメモリ２３０を備え、メモリ２３０がプロセッサ２１０に接続される。プロセッサ２１０、メモリ２３０及び送受信機２２０が内部接続チャネルを介して互いに通信してもよい。前記送受信機２２０はネットワーク機器から送信された時間領域位置指示情報を受信することに用いられ、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数であり、前記プロセッサ２１０は前記第１時間領域オフセット情報に基づいて各第１ＳＳブロックの時間領域リソースを決定することに用いられる。
【０１２１】
従って、本願の実施例に係る端末装置の受信した時間領域位置指示情報には第１時間領域オフセット情報が含まれ、第１時間領域オフセット情報はプリセット位置に対する同期信号ＳＳブロックグループの時間領域リソースの位置のオフセット量を示すことに用いられる。これにより、端末装置は第１時間領域オフセット情報に基づいて同期信号ブロックの時間領域リソースを正確に決定することができる。
【０１２２】
又は、前記送受信機２２０は、ネットワーク機器から送信された、プリセット位置に対するＭ個のＳＳブロックのうちの各ＳＳブロックの時間領域リソースの位置のオフセット量を示すための時間領域位置指示情報を受信することに用いられ、Ｍは１以上の正の整数であり、前記プロセッサ２１０は、前記時間領域位置指示情報に基づいて各ＳＳブロックの時間領域リソースを決定することに用いられる。
【０１２３】
従って、本願の実施例に係る端末装置の受信した時間領域位置指示情報はプリセット位置に対するＭ個のＳＳブロックのうちの各ＳＳブロックの時間領域リソースの位置のオフセット量を示すことに用いられる。これにより、端末装置は時間領域位置指示情報に基づいて同期信号ブロックの時間領域リソースを正確に決定することができる。
【０１２４】
本願の実施例に係る端末装置２００は本願の実施例に対応する端末装置２０を参照してもよく、且つ、該端末装置における各ユニット／モジュール及び上記他の操作及び／又は機能はそれぞれ方法３００又は４００における対応プロセスを実現するためのものであり、簡潔のため、ここで詳細な説明は省略する。
【０１２５】
本願の実施例におけるプロセッサは信号処理機能を有する集積回路チップであってもよいと理解される。上記プロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。
【０１２６】
本願の実施例におけるメモリは揮発性メモリ又は不揮発性メモリであってもよく、又は、揮発性メモリ及び不揮発性メモリを含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。制限的ではなく、例示的な説明によって、多くのタイプのＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。なお、本明細書に説明されるシステム及び方法のメモリはこれらのメモリ及び任意の他の適切なタイプのメモリを含んでもよいが、それらに限らないことを目的とする。
【０１２７】
当業者であれば、本明細書に開示される実施例を参照して説明した各例示的なユニット及びアルゴリズムステップは、電子ハードウェア、又はコンピュータソフトウェアと電子ハードウェアとの組み合わせで実現されてもよいと理解される。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１２８】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１２９】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区画は論理機能上の区画に過ぎず、実際に実現するとき、他の区画方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３０】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに分布されてもよい。実際の必要に応じて、その一部又は全部のユニットを選択して本実施例案の目的を実現してもよい。
【０１３１】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１３２】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ、又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１３３】
以上の説明は本願の具体的な実施形態に過ぎず、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020515134.tif 000003
【図２】
2020515134.tif 000004
【図３】
2020515134.tif 000005
【図４】
2020515134.tif 000006
【図５】
2020515134.tif 000007
【図６】
2020515134.tif 000008
【図７】
2020515134.tif 000009
【図８】
2020515134.tif 000010
【図９】
2020515134.tif 000011
【図１０】
2020515134.tif 000012
【図１１】
2020515134.tif 000013
【図１２】
2020515134.tif 000014
【図１３】
2020515134.tif 000015
【図１４】
2020515134.tif 000016
【図１５】
2020515134.tif 000017
【図１６】
2020515134.tif 000018
【図１７】
2020515134.tif 000019
【図１８】
2020515134.tif 000020
【手続補正書】
【提出日】令和2年3月6日(2020.3.6)
【手続補正１】
【補正対象書類名】明細書
【補正対象項目名】００１６
【補正方法】変更
【補正の内容】
【００１６】
第２態様には同期信号を伝送するための方法を提供し、ネットワーク機器は時間領域位置指示情報を生成し、前記時間領域位置指示情報はプリセット位置に対するＭ個のＳＳブロックのうちの各ＳＳブロックの時間領域リソースの位置のオフセット量を示すことに用いられ、Ｍは１以上の正の整数であることと、前記ネットワーク機器は端末装置へ前記時間領域位置指示情報を送信することと、を含む。
【手続補正２】
【補正対象書類名】明細書
【補正対象項目名】００２０
【補正方法】変更
【補正の内容】
【００２０】
第３態様を参照して、第３態様の実現方式では、前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられ、
前記端末装置が前記第１時間領域オフセット情報に基づいて各第１ＳＳブロックの時間領域リソースを決定することは、前記端末装置が前記第１時間領域オフセット情報と前記第２時間領域オフセット情報に基づいて各第１ＳＳブロックの時間領域リソースを決定することを含む。
【手続補正３】
【補正対象書類名】明細書
【補正対象項目名】００２７
【補正方法】変更
【補正の内容】
【００２７】
第４態様には同期信号を伝送するための方法を提供し、端末装置はネットワーク機器から送信された時間領域位置指示情報を受信し、前記時間領域位置指示情報はプリセット位置に対するＭ個のＳＳブロックのうちの各ＳＳブロックの時間領域リソースの位置のオフセット量を示すことに用いられ、Ｍは１以上の正の整数であることと、前記端末装置は前記時間領域位置指示情報に基づいて各ＳＳブロックの時間領域リソースを決定することと、を含む。
【手続補正４】
【補正対象書類名】明細書
【補正対象項目名】００４３
【補正方法】変更
【補正の内容】
【００４３】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はワールドワイド・インターオペラビリティ・フォー・マイクロウェーブ・アクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又は新無線（ＮＲ、Ｎｅｗ  Ｒａｄｉｏ）システムに適用されてもよいと理解すべきである。
【手続補正５】
【補正対象書類名】明細書
【補正対象項目名】００４７
【補正方法】変更
【補正の内容】
【００４７】
本願の同期信号を伝送するための方法によれば、端末装置は同期信号を検出するための時間領域リソースを正確に把握することができる。
本願の同期信号を伝送するための方法によれば、ネットワーク機器が端末装置へ送信した時間領域位置指示情報には第１時間領域オフセット情報が含まれ、端末装置は第１時間領域オフセット情報に基づいて同期信号（ＳＳ、Ｓｙｎｃｈｒｏｎｉｚａｔｉｏｎ  Ｓｉｇｎａｌ）ブロック（Ｂｌｏｃｋ）の時間領域リソースを正確に決定することができ、且つネットワーク機器が端末装置へ時間領域位置指示情報を送信することで、ネットワーク機器は同期信号を伝送するための時間領域リソースを柔軟に設定することができる。
【手続補正６】
【補正対象書類名】明細書
【補正対象項目名】００８６
【補正方法】変更
【補正の内容】
【００８６】
図１４は本願の別の実施例に係る同期信号を伝送するための方法を示す図であり、図１４に示すように、方法４００は、Ｓ４１０とＳ４２０とを含む。
Ｓ４１０、端末装置はネットワーク機器から送信された時間領域位置指示情報を受信し、前記時間領域位置指示情報はプリセット位置に対するＭ個のＳＳブロックのうちの各ＳＳブロックの時間領域リソースの位置のオフセット量を示すことに用いられ、Ｍは１以上の正の整数である。
Ｓ４２０、前記端末装置は前記時間領域位置指示情報に基づいて各ＳＳブロックの時間領域リソースを決定する。
【手続補正７】
【補正対象書類名】特許請求の範囲
【補正対象項目名】全文
【補正方法】変更
【補正の内容】
【特許請求の範囲】
【請求項１】
同期信号を伝送するための方法であって、
ネットワーク機器は時間領域位置指示情報を生成し、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数であることと、
前記ネットワーク機器は端末装置へ前記時間領域位置指示情報を送信することと、を含むことを特徴とする同期信号を伝送するための方法。
【請求項２】
前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられることを特徴とする請求項１に記載の方法。
【請求項３】
前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられることを特徴とする請求項１に記載の方法。
【請求項４】
前記Ｍ個の第１ＳＳブロックは第１セルに対応し、前記方法は、更に、
前記ネットワーク機器が各第１ＳＳブロックの時間領域リソースの位置を決定し、少なくとも１つの第１ＳＳブロックの時間領域リソースの位置とＮ個の第２ＳＳブロックのうちのいずれか１つの第２ＳＳブロックの時間領域リソースの位置とが重なり合い部分を有せず又は不完全に重なり合い、前記Ｎ個の第２ＳＳブロックが第２セルに対応し、前記第２セルが前記第１セルの隣接セルであり、Ｎが１以上の正の整数であることを含むことを特徴とする請求項１〜３のいずれか１項に記載の方法。
【請求項５】
各第１ＳＳブロックの時間領域リソースの位置と前記Ｎ個の第２ＳＳブロックのうちの各第２ＳＳブロックの時間領域リソースの位置とがいずれも重なり合い部分を有しないことを特徴とする請求項４に記載の方法。
【請求項６】
同期信号を伝送するための方法であって、
端末装置はネットワーク機器から送信された時間領域位置指示情報を受信し、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数であることと、
前記端末装置は前記第１時間領域オフセット情報に基づいて各第１ＳＳブロックの時間領域リソースを決定することと、を含むことを特徴とする同期信号を伝送するための方法。
【請求項７】
前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられ、
前記端末装置が前記第１時間領域オフセット情報に基づいて各第１ＳＳブロックの時間領域リソースを決定することは、
前記端末装置が前記第１時間領域オフセット情報と前記第２時間領域オフセット情報に基づいて各第１ＳＳブロックの時間領域リソースを決定することを含むことを特徴とする請求項６に記載の方法。
【請求項８】
前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられ、
前記端末装置が前記第１時間領域オフセット情報に基づいて各第１ＳＳブロックの時間領域リソースを決定することは、
前記端末装置が前記第１時間領域オフセット情報、前記時間領域リソース指示情報及び前記第１数量情報に基づいて各第１ＳＳブロックの時間領域リソースを決定することを含むことを特徴とする請求項６に記載の方法。
【請求項９】
前記Ｍ個の第１ＳＳブロックは第１セルに対応し、少なくとも１つの第１ＳＳブロックの時間領域リソースの位置とＮ個の第２ＳＳブロックのうちのいずれか１つの第２ＳＳブロックの時間領域リソースの位置とは重なり合い部分を有せず又は不完全に重なり合い、前記Ｎ個の第２ＳＳブロックは第２セルに対応し、前記第２セルは前記第１セルの隣接セルであり、Ｎは１以上の正の整数であることを特徴とする請求項６〜８のいずれか１項に記載の方法。
【請求項１０】
各第１ＳＳブロックの時間領域リソースの位置と前記Ｎ個の第２ＳＳブロックのうちの各第２ＳＳブロックの時間領域リソースの位置とはいずれも重なり合い部分を有しないことを特徴とする請求項９に記載の方法。
【請求項１１】
ネットワーク機器であって、
時間領域位置指示情報を生成することに用いられ、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数である処理モジュールと、
端末装置へ前記時間領域位置指示情報を送信するための送受信モジュールと、を備えることを特徴とするネットワーク機器。
【請求項１２】
前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられることを特徴とする請求項１１に記載のネットワーク機器。
【請求項１３】
前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられることを特徴とする請求項１１に記載のネットワーク機器。
【請求項１４】
前記Ｍ個の第１ＳＳブロックは第１セルに対応し、前記処理モジュールは、更に、
前記各第１ＳＳブロックの時間領域リソースの位置を決定し、少なくとも１つの第１ＳＳブロックの時間領域リソースの位置とＮ個の第２ＳＳブロックのうちのいずれか１つの第２ＳＳブロックの時間領域リソースの位置とが重なり合い部分を有せず又は不完全に重なり合い、前記Ｎ個の第２ＳＳブロックが第２セルに対応し、前記第２セルが前記第１セルの隣接セルであり、Ｎが１以上の正の整数であることに用いられることを特徴とする請求項１１〜１３のいずれか１項に記載のネットワーク機器。
【請求項１５】
各第１ＳＳブロックの時間領域リソースの位置と前記Ｎ個の第２ＳＳブロックのうちの各第２ＳＳブロックの時間領域リソースの位置とがいずれも重なり合い部分を有しないことを特徴とする請求項１４に記載のネットワーク機器。
【請求項１６】
端末装置であって、
ネットワーク機器から送信された時間領域位置指示情報を受信することに用いられ、前記時間領域位置指示情報には第１時間領域オフセット情報が含まれ、前記第１時間領域オフセット情報はプリセット位置に対する同期信号ＳＳブロックグループの時間領域リソースの位置のオフセット量を示すことに用いられ、前記ＳＳブロックグループはＭ個の第１ＳＳブロックを含み、Ｍは１以上の正の整数である送受信モジュールと、
前記第１時間領域オフセット情報に基づいて各第１ＳＳブロックの時間領域リソースを決定するための処理モジュールと、を備えることを特徴とする端末装置。
【請求項１７】
前記時間領域位置指示情報には更に第２時間領域オフセット情報が含まれ、前記第２時間領域オフセット情報は前記ＳＳブロックグループの時間領域リソースの位置に対する各第１ＳＳブロックの時間領域リソースの位置のオフセット量を示すことに用いられ、
前記処理モジュールは、具体的に、
前記第１時間領域オフセット情報と前記第２時間領域オフセット情報に基づいて各第１ＳＳブロックの時間領域リソースを決定することに用いられることを特徴とする請求項１６に記載の端末装置。
【請求項１８】
前記時間領域位置指示情報には更に時間領域リソース指示情報と第１数量情報が含まれ、前記時間領域リソース指示情報はターゲット時間領域リソースを示すことに用いられ、前記ターゲット時間領域リソースは前記ＳＳブロックグループの時間領域リソースを含み、前記第１数量情報はＭの数値を示すことに用いられ、
前記処理モジュールは、具体的に、
前記第１時間領域オフセット情報、前記時間領域リソース指示情報及び前記第１数量情報に基づいて各第１ＳＳブロックの時間領域リソースを決定することに用いられることを特徴とする請求項１６に記載の端末装置。
【請求項１９】
前記Ｍ個の第１ＳＳブロックは第１セルに対応し、少なくとも１つの第１ＳＳブロックの時間領域リソースの位置とＮ個の第２ＳＳブロックのうちのいずれか１つの第２ＳＳブロックの時間領域リソースの位置とは重なり合い部分を有せず又は不完全に重なり合い、前記Ｎ個の第２ＳＳブロックは第２セルに対応し、前記第２セルは前記第１セルの隣接セルであり、Ｎは１以上の正の整数であることを特徴とする請求項１６〜１８のいずれか１項に記載の端末装置。
【請求項２０】
各第１ＳＳブロックの時間領域リソースの位置と前記Ｎ個の第２ＳＳブロックのうちの各第２ＳＳブロックの時間領域リソースの位置とはいずれも重なり合い部分を有しないことを特徴とする請求項１９に記載の端末装置。
【手続補正８】
【補正対象書類名】図面
【補正対象項目名】図１４
【補正方法】変更
【補正の内容】
【図１４】
2020515134.tif 000021
【国際調査報告】
2020515134.tif 000022
2020515134.tif 000023
2020515134.tif 000024
2020515134.tif 000025
2020515134.tif 000026
2020515134.tif 000027